(57)【特許請求の範囲】
【請求項１】
かご枠に取付けられる複数枚の側板を順次連結し乗かごの壁を形成するエレベータ乗かごの側板構造において、
前記側板を、天井枠及び床枠を備える前記かご枠に取付けられ、略Ｕ字形の断面を有する折り曲げ部を備えた鋼板よりなる複数の構造体と、前記折り曲げ部に嵌合される挿入部を備えた複数の表面パネルとに分割し、前記構造体の上部を前記天井枠に取り付けるとともに、前記構造体の下部を床枠に取り付けて、前記挿入部を前記折り曲げ部に嵌合することにより前記表面パネルをかご室内側から前記構造体に装着し、互いに隣接した前記表面パネルが略同一面となる前記壁を形成することを特徴とするエレベータ乗かごの側板構造。
【発明の詳細な説明】
【技術分野】
【０００１】
本発明は、かご室を形成するエレベータ乗かごの側板構造に関する。
【背景技術】
【０００２】
図６は従来のエレベータ乗かごの側板構造を示す平面図、図７は従来の側板裏面の構造を示す正面図、図８は従来の側板の平面図である。
【０００３】
この種の従来技術として、エレベータの乗かご１１の側板構造は図６に示すように、図示しないかご枠に取付けられる複数枚の側板１２を順次連結し乗かご１１の壁１１ａを形成している。そして、側板１２は図７、図８に示すように、その両端が箱曲げされると共に、その上下が折り返し曲げされており、かつその裏面に、ハット形の略断面を有する補強体１６が側板１２の上下方向に沿って取付けられている。
【０００４】
また、従来、隣接する側板の端部に、側板厚みを構成するように互いに直接向かい合うＵ字形の折返しをそれぞれ形成し、これら隣接する側板のＵ字形の折返しに、コの字状の目地を嵌め込んで、かご室に面した側板間の目地の面と連結された側板の面がほぼ同一となるようにしたものが提案されている（例えば、特許文献１参照）。
【特許文献１】特開平９−７７４３１号公報（段落番号００１５、第１図）
【発明の開示】
【発明が解決しようとする課題】
【０００５】
しかしながら、前述した従来のものは、かご室側から側板を押された際の撓みを抑える為に、側板の裏面に補強体を備えており、側板の作成に手間とコストを要するという問題があった。また、後者のような方法で複数の側板を互いに連結するものでは、隣接する側板の間隙を埋めるために目地を要することから、かご組立作業に手間を要すると共に、意匠性の観点からかご室の継ぎ目を可能な限り減らしたいという顧客のニーズに答える点で問題があった。
【０００６】
本発明は、前述した従来技術における実状からなされたもので、その目的は、構造を簡易化すると共に、作業性および意匠性の向上を図ることのできるエレベータ乗かごの側板構造を提供することにある。
【課題を解決するための手段】
【０００７】
前記目的を達成するために、本発明は、かご枠に取付けられる複数枚の側板を順次連結し乗かごの壁を形成するエレベータ乗かごの側板構造において、前記側板を、天井枠及び床枠を備える前記かご枠に取付けられ、略Ｕ字形の断面を有する折り曲げ部を備えた鋼板よりなる複数の構造体と、前記折り曲げ部に嵌合される挿入部を備えた複数の表面パネルとに分割し、前記構造体の上部を前記天井枠に取り付けるとともに、前記構造体の下部を床枠に取り付けて、前記挿入部を前記折り曲げ部に嵌合することにより前記表面パネルをかご室内側から前記構造体に装着し、互いに隣接した前記表面パネルが略同一面となる前記壁を形成することを特徴としている。
【０００８】
このように構成した本発明は、まず、かご枠に構造体を取付け、次いで、表面パネルをかご室内側から構造体に対向させ、表面パネルの挿入部を構造体の略Ｕ字形の断面を有する折り曲げ部に嵌合することにより装着固定する。構造体は略Ｕ字形の断面を有する折り曲げ部を有して形成されることから、乗かごの側板として必要な強度を従来のような補強体を表面パネルに備えることなく確保することができ、したがって構造を簡易なものとすることができる。また、表面パネルの装着はかご室側から挿入部を折り曲げ部に嵌合するだけであることから、作業性に優れると共に、互いに隣接する表面パネル間に従来のような目地を要することがなく、したがって継ぎ目を軽減して意匠性の向上を図ることもできる。
【発明の効果】
【０００９】
本発明によれば、乗かごの側板として必要な強度を補強体を表面パネルに備えることなく確保することにより構造を簡易なものとし、側板の作成に掛かる手間、費用の低減、及び軽量化を図ることができる。また、表面パネルの装着はかご室側から挿入部を折り曲げ部に嵌合するのみであることから、作業性に優れると共に、互いに隣接する表面パネル間に従来のような目地を要することがなく、したがって継ぎ目を軽減して意匠性の向上を図ることもできる。さらに、表面パネルの構造は簡易であると共にその着脱も容易であることから、低費用で、かつ短時間の工事でかご室のリニューアルを実施することができる。
【発明を実施するための最良の形態】
【００１０】
以下、本発明に係るエレベータ乗かごの側板構造の実施の形態を図に基づいて説明する。
【００１１】
図１は本発明のエレベータ乗かごの側板構造の一実施形態を示す平面図、図２は側板を構成する構造体及び表面パネルの構造を示す側面図、図３は表面パネルを構造体に装着した状態を示す側面図、図４は構造体の正面図、図５は構造体の平面図である。
【００１２】
乗かご１の壁１ａを形成する側板２は、かご枠、例えば上部が天井枠３、下部がボルト４により床枠５に取付けられ、略Ｕ字形の断面を有する折り曲げ部２０を備えた複数の構造体２１と、折り曲げ部２０に嵌合される挿入部２２を備えた複数の表面パネル２３とに分割されて成っている。
【００１３】
前述の構造体２１は、例えば乗かご１の側面に左右それぞれ３箇所配設される側面構造体２１ａ、及び乗かご１の背面に４箇所配設される背面構造体２１ｂから成っており、１つの折り曲げ部２０を形成したもの、或いは３つの折り曲げ部２０を形成したものがある。尚、それぞれの構造体２１は１枚の鋼板から成っており、この鋼板に図５に示すように公知のヘミング曲げを加工することにより折り曲げ部２０を形成するようになっている。
【００１４】
また、前述の表面パネル２３は、例えば乗かご１の前面に配設される前面表面パネル２３ａ、乗かご１の側面に配設される側面表面パネル２３ｂ、及び乗かご１の背面に配設される背面表面パネル２３ｃから成っている。そして、表面パネル２３の端部がＬ字状に折り曲げられることにより挿入部２２が形成されている。
【００１５】
本実施形態にあっては、側版２の組立を行う場合、まず、構造体２１上部を天井枠３に取付けると共に、その下部をボルト４により床枠５に取付ける。次いで、図２に示すように表面パネル２３をかご室内側から構造体２１に対向させ、この状態から図３に示すように表面パネル２３の挿入部２２を構造体の略Ｕ字形の断面を有する折り曲げ部２０に嵌合することにより装着固定する。この作業を順次行なうことにより互いに隣接した表面パネル２３が略同一面となる壁１ａを形成する。
【００１６】
本実施形態によれば、乗かご１の側板２として必要な強度を補強体を表面パネル２３に備えることなく確保することにより構造を簡易なものとし、側板２の作成に掛かる手間、費用の低減、及び軽量化を図ることができる。また、表面パネル２３の装着はかご室側から挿入部２２を折り曲げ部２０に嵌合するのみであることから、作業性に優れると共に、互いに隣接する表面パネル２３間に従来のような目地を要することがなく、したがって継ぎ目を軽減して意匠性の向上を図ることもできる。さらに、表面パネル２３の構造は簡易であると共にその着脱も容易であることから、低費用で、かつ短時間の工事でかご室のリニューアルを実施することができる。
【図面の簡単な説明】
【００１７】
【図１】本発明のエレベータ乗かごの側板構造の一実施形態を示す平面図である。
【図２】側板を構成する構造体及び表面パネルの構造を示す側面図である。
【図３】表面パネルを構造体に装着した状態を示す側面図である。
【図４】構造体の正面図である。
【図５】構造体の平面図である。
【図６】従来のエレベータ乗かごの側板構造を示す平面図である。
【図７】従来の側板裏面の構造を示す正面図である。
【図８】従来の側板の平面図である。
【符号の説明】
【００１８】
１    乗かご
２    側板
３    天井枠
４    ボルト
５    床枠
２０  折り曲げ部
２１  構造体
２２  挿入部
２３  表面パネル
【図１】
0004782568.tif 000002
【図２】
0004782568.tif 000003
【図３】
0004782568.tif 000004
【図４】
0004782568.tif 000005
【図５】
0004782568.tif 000006
【図６】
0004782568.tif 000007
【図７】
0004782568.tif 000008
【図８】
0004782568.tif 000009